(57)【特許請求の範囲】
【請求項１】
物体側より像側へ順に、正の屈折力の第１レンズ群、負の屈折力の第２レンズ群、正の屈折力の第３レンズ群、１以上のレンズ群を含む後群より構成され、前記第１レンズ群は負レンズと正レンズからなり、
ズーミングに際して隣り合うレンズ群の間隔が変化するように各レンズ群が移動し、広角端に比べて望遠端において前記第１レンズ群は物体側に位置し、前記第３レンズ群は物体側に位置するズームレンズにおいて、
前記第１、第２レンズ群の焦点距離を各々ｆ１、ｆ２、広角端と望遠端における全系の焦点距離を各々ｆｗ、ｆｔとするとき、
１０．５＜ｆ１／ｆｗ＜３０．０
０．０１０＜｜ｆ２／ｆｔ｜＜０．１８１
なる条件式を満足することを特徴とするズームレンズ。
【請求項２】
前記３レンズ群の焦点距離をｆ３とするとき、
０．２０＜｜ｆ２／ｆ３｜＜０．８５
なる条件式を満足することを特徴とする請求項１に記載のズームレンズ。
【請求項３】
前記第３レンズ群の焦点距離をｆ３とするとき、
２．０＜ｆ３／ｆｗ＜１０．０
なる条件式を満足することを特徴とする請求項１または２に記載のズームレンズ。
【請求項４】
広角端における前記ズームレンズの全長をＴｄｗとするとき、
０．１＜Ｔｄｗ／ｆｔ＜１．５
なる条件式を満足することを特徴とする請求項１乃至３のいずれか１項に記載のズームレンズ。
【請求項５】
広角端と望遠端における前記第２レンズ群の横倍率を各々β２ｗ、β２ｔとするとき、
０．１＜β２ｗ／β２ｔ＜０．４
なる条件式を満足することを特徴とする請求項１乃至４のいずれか１項に記載のズームレンズ。
【請求項６】
前記第１レンズ群の光軸方向の厚みをＤ１Ｇとするとき、
０．０１＜Ｄ１Ｇ／ｆｔ＜０．１５
なる条件式を満足することを特徴とする請求項１乃至５のいずれか１項に記載のズームレンズ。
【請求項７】
前記後群は、物体側より像側へ順に、負の屈折力の第４レンズ群、正の屈折力の第５レンズ群からなることを特徴とする請求項１乃至６のいずれか１項に記載のズームレンズ。 
【請求項８】
前記後群は、正の屈折力の第４レンズ群から成ることを特徴とする請求項１乃至６のいずれか１項に記載のズームレンズ。
【請求項９】
前記第４レンズ群の焦点距離をｆ４とするとき、
０．０１＜｜ｆ２／ｆ４｜＜０．６
なる条件式を満足することを特徴とする請求項７または８に記載のズームレンズ。
【請求項１０】
前記第１レンズ群を構成する正レンズの焦点距離をｆ１ｐとするとき、
０．１＜ｆ１ｐ／ｆ１＜１．０
なる条件式を満足することを特徴とする請求項１乃至９のいずれか１項に記載のズームレンズ。
【請求項１１】
ズーミングに際して前記各レンズ群とは独立に移動する開口絞りが前記第３レンズ群の物体側に配置されており、広角端における前記開口絞りと前記第３レンズ群との距離をｄｓｗとするとき、
０．５＜ｄｓｗ／ｆｗ＜１０．０
なる条件式を満足することを特徴とする請求項１乃至１０のいずれか１項に記載のズームレンズ。
【請求項１２】
前記第３レンズ群は１つの負レンズ、２つの正レンズを含むことを特徴とする請求項１乃至１１のいずれか１項に記載のズームレンズ。
【請求項１３】
前記第３レンズ群を、光軸に対して垂直方向の成分を持つ方向に移動させて、ズームレンズの結像位置を光軸に対して垂直方向に変化させることを特徴とする請求項１乃至１２のいずれか１項に記載のズームレンズ。
【請求項１４】
固体撮像素子に像を形成することを特徴とする請求項１乃至１３のいずれか１項に記載のズームレンズ。
【請求項１５】
請求項１乃至１４のいずれか１項に記載のズームレンズと、該ズームレンズによって形成される像を受光する固体撮像素子とを有することを特徴とする撮像装置。
【発明の詳細な説明】
【技術分野】
【０００１】
本発明はズームレンズ及びそれを有する撮像装置に関し、例えばビデオカメラや電子スチルカメラ、放送用カメラ、監視カメラ等のように固体撮像素子を用いた撮像装置、或いは銀塩フィルムを用いたカメラ等の撮像装置に好適なものである。
【背景技術】
【０００２】
近年、固体撮像素子を用いたビデオカメラ、デジタルスチルカメラ、放送用カメラ、監視カメラ、そして銀塩フィルムを用いたカメラ等の撮像装置は高機能化され、又装置全体が小型化されている。そしてそれに用いる撮影光学系としてレンズ全長が短く、コンパクト（小型）で、広画角、高ズーム比（高変倍比）で、しかも高解像力のズームレンズであることが要求されている。これらの要求に応えるズームレンズとして、物体側より像側へ順に、正、負、正の屈折力を有する第１、第２、第３レンズ群と、それに続く１つ以上のレンズ群を含む後群を有するポジティブリード型のズームレンズが知られている。
【０００３】
ポジティブリード型のズームレンズとして、物体側より像側へ順に、正、負、正、正の屈折力の４つのレンズ群又は正、負、正、正、正の５つのレンズ群より成るズームレンズが知られている（特許文献１）。特許文献１ではズーム比１５以上、広角端の撮影画角６２°程度のズームレンズを開示している。又、物体側より像側へ順に正、負、正、負、正の屈折力の５つのレンズ群より成るズームレンズが知られている（特許文献２）。特許文献２ではズーム比１０程度、広角端での撮影画角７６°程度のズームレンズを開示している。
【先行技術文献】
【特許文献】
【０００４】
【特許文献１】特開２００６−１７１６５５号公報
【特許文献２】特開２００３−２５５２２８号公報
【発明の概要】
【発明が解決しようとする課題】
【０００５】
一般にズームレンズをカメラ本体内に沈胴させ、非撮影時においてカメラを薄型化するためには、ズームレンズを構成する各レンズ群の屈折力（光学的パワー＝焦点距離の逆数）を強めつつ、各レンズ群のレンズ枚数を削減すれば良い。しかしながら、このようにしたズームレンズは、各レンズ面の屈折力の増加に伴いコバ厚を確保するためにレンズ肉厚が増してしまい、特に前玉径などの肥大化や、レンズの短縮などの小型化が不十分になる。また、同時に望遠端における色収差などの諸収差の補正が困難になってくる。
【０００６】
そこで、ズームレンズを高ズーム比化しつつ小型化するためには、各レンズ群の屈折力、レンズ全長、変倍用のレンズ群の結像倍率等の最適化が重要となる。上述した４群ズームレンズや５群ズームレンズにおいて、各レンズ群の屈折力等を適切に設定しないと広画角で１０倍を超える高ズーム比を達成しつつ良好な光学性能を得るのが困難となる。
【０００７】
本発明は、沈胴した際のレンズ厚が薄く、広画角かつ高ズーム比で、しかも全ズーム範囲にわたり高い光学性能が得られるズームレンズ及びそれを有する撮像装置の提供を目的とする。
【課題を解決するための手段】
【０００８】
本発明のズームレンズは、物体側より像側へ順に、正の屈折力の第１レンズ群、負の屈折力の第２レンズ群、正の屈折力の第３レンズ群、１以上のレンズ群を含む後群より構成され、前記第１レンズ群は負レンズと正レンズからなり、
ズーミングに際して隣り合うレンズ群の間隔が変化するように各レンズ群が移動し、広角端に比べて望遠端において前記第１レンズ群は物体側に位置し、前記第３レンズ群は物体側に位置するズームレンズにおいて、
前記第１、第２レンズ群の焦点距離を各々ｆ１、ｆ２、広角端と望遠端における全系の焦点距離を各々ｆｗ、ｆｔとするとき、
１０．５＜ｆ１／ｆｗ＜３０．０
０．０１０＜｜ｆ２／ｆｔ｜＜０．１８１
なる条件式を満足することを特徴としている。
【発明の効果】
【０００９】
本発明によれば沈胴した際のレンズ厚が薄く、広画角かつ高ズーム比で、しかも全ズーム範囲にわたり高い光学性能が得られるズームレンズが得られる。
【図面の簡単な説明】
【００１０】
【図１】本発明の実施例１の広角端におけるレンズ断面図
【図２】（Ａ）、（Ｂ）、（Ｃ）  本発明の実施例１に対応する数値実施例１の広角端、中間のズーム位置、望遠端の収差図
【図３】本発明の実施例２の広角端におけるレンズ断面図
【図４】（Ａ）、（Ｂ）、（Ｃ）  本発明の実施例２に対応する数値実施例２の広角端、中間のズーム位置、望遠端の収差図
【図５】本発明の実施例３の広角端におけるレンズ断面図
【図６】（Ａ）、（Ｂ）、（Ｃ）  本発明の実施例３に対応する数値実施例３の広角端、中間のズーム位置、望遠端の収差図
【図７】本発明の実施例４の広角端におけるレンズ断面図
【図８】（Ａ）、（Ｂ）、（Ｃ）  本発明の実施例４に対応する数値実施例４の広角端、中間のズーム位置、望遠端の収差図
【図９】本発明の実施例５の広角端におけるレンズ断面図
【図１０】（Ａ）、（Ｂ）、（Ｃ）  本発明の実施例５に対応する数値実施例５の広角端、中間のズーム位置、望遠端の収差図
【図１１】本発明の実施例６の広角端におけるレンズ断面図
【図１２】（Ａ）、（Ｂ）、（Ｃ）  本発明の実施例６に対応する数値実施例６の広角端、中間のズーム位置、望遠端の収差図
【図１３】本発明の撮像装置の要部概略図
【発明を実施するための形態】
【００１１】
以下、本発明のズームレンズ及びそれを有する撮像装置について説明する。本発明のズームレンズは、物体側より像側へ順に、正の屈折力の第１レンズ群、負の屈折力の第２レンズ群、正の屈折力の第３レンズ群、１以上のレンズ群を含む後群より構成されている。第１レンズ群Ｌ１は負レンズと正レンズからなる。ズーミングに際して隣り合うレンズ群の間隔が変化するように第１乃至第３レンズ群と後群を構成する各レンズ群が移動している。このとき撮像面に対して、広角端に比べ望遠端において第１レンズ群は物体側に位置し、第３レンズ群は物体側に位置する。
【００１２】
図１は本発明の実施例１のズームレンズの広角端（短焦点距離端）におけるレンズ断面図である。図２（Ａ）、（Ｂ）、（Ｃ）はそれぞれ実施例１のズームレンズの広角端、中間のズーム位置、望遠端（長焦点距離端）における収差図である。図３は本発明の実施例２のズームレンズの広角端におけるレンズ断面図である。図４（Ａ）、（Ｂ）、（Ｃ）はそれぞれ実施例２のズームレンズの広角端、中間のズーム位置、望遠端における収差図である。図５は本発明の実施例３のズームレンズの広角端におけるレンズ断面図である。
【００１３】
図６（Ａ）、（Ｂ）、（Ｃ）はそれぞれ実施例３のズームレンズの広角端、中間のズーム位置、望遠端における収差図である。図７は本発明の実施例４のズームレンズの広角端におけるレンズ断面図である。図８（Ａ）、（Ｂ）、（Ｃ）はそれぞれ実施例４のズームレンズの広角端、中間のズーム位置、望遠端における収差図である。
【００１４】
図９は本発明の実施例５のズームレンズの広角端におけるレンズ断面図である。図１０（Ａ）、（Ｂ）、（Ｃ）はそれぞれ実施例５のズームレンズの広角端、中間のズーム位置、望遠端における収差図である。図１１は本発明の実施例６のズームレンズの広角端におけるレンズ断面図である。図１２（Ａ）、（Ｂ）、（Ｃ）はそれぞれ実施例６のズームレンズの広角端、中間のズーム位置、望遠端における収差図である。
【００１５】
図１３は本発明のズームレンズを備えるカメラ（撮像装置）の要部概略図である。各実施例のズームレンズはビデオカメラやデジタルカメラそして銀塩フィルムカメラ等の撮像装置に用いられる撮影レンズ系である。レンズ断面図において、左方が被写体側（物体側）（前方）で、右方が像側（後方）である。レンズ断面図において、ｉは物体側からのレンズ群の順番を示し、Ｌｉは第ｉレンズ群である。Ｌｒは１以上のレンズ群を含む後群である。
【００１６】
図１、図３、図５、図７の実施例１〜４のレンズ断面図において、Ｌ１は正の屈折力の第１レンズ群、Ｌ２は負の屈折力の第２レンズ群、Ｌ３は正の屈折力の第３レンズ群である。後群Ｌｒは負の屈折力の第４レンズ群Ｌ４、正の屈折力の第５レンズ群Ｌ５より成っている。実施例１〜４はポジティブリード型の５群ズームレンズである。
【００１７】
図９、図１１の実施例５、６のレンズ断面図においてＬ１は正の屈折力の第１レンズ群、Ｌ２は負の屈折力の第２レンズ群、Ｌ３は正の屈折力の第３レンズ群である。後群Ｌｒは正の屈折力の第４レンズ群Ｌ４より成っている。実施例５、６はポジティブリード型の４群ズームレンズである。
【００１８】
各実施例において、ＳＰは開口絞りであり、第３レンズ群Ｌ３の物体側に配置している。また各実施例においてＦＰはフレアー絞りであり、第３レンズ群Ｌ３の像側に配置しており、不要光を遮光している。Ｇは光学フィルター、フェースプレート、水晶ローパスフィルター、赤外カットフィルター等に相当する光学ブロックである。ＩＰは像面であり、ビデオカメラやデジタルスチルカメラの撮影光学系として使用する際にはＣＣＤセンサやＣＭＯＳセンサ等の固体撮像素子（光電変換素子）の撮像面に、銀塩フィルム用カメラのときはフィルム面に相当する感光面が置かれる。
【００１９】
球面収差図において実線はｄ線、二点鎖線はｇ線である。非点収差図においてΔＭはメリディオナル像面、ΔＳはサジタル像面、倍率色収差はｇ線によって表している。ωは半画角（撮影画角の半分の値）、ＦｎｏはＦナンバーである。尚、以下の各実施例において広角端と望遠端は変倍用レンズ群が機構上光軸上を移動可能な範囲の両端に位置したときのズーム位置をいう。各実施例において矢印は、広角端から望遠端へのズーミング又はフォーカスに際しての移動軌跡を示している。
【００２０】
図１、図３、図５、図７の実施例１〜４では広角端から望遠端へのズーミングに際して矢印のように第１レンズ群Ｌ１は像側へ凸状の軌跡を描いて移動している。第２レンズ群Ｌ２は像側へ、凸状で非直線的に移動している。第３レンズ群Ｌ３は物体側へ移動している。第４レンズ群Ｌ４は物体側へ凸状又は像側へ凸状の軌跡を描いて移動している。第５レンズ群は物体側へ凸状の軌跡を描いて移動している。即ち、ズーミングに際して隣り合うレンズ群の間隔が変化するように各レンズ群が移動する。開口絞りＳＰは他のレンズ群と独立に移動している。フレアーカット絞りＦＰは第３レンズ群Ｌ３と一体的に移動している。また、第５レンズ群Ｌ５を光軸上移動させてフォーカシングを行うリヤーフォーカス式を採用している。望遠端において無限遠物体から近距離物体へフォーカスを行う場合には各レンズ断面図の矢印５ｃに示すように第５レンズ群Ｌ５を前方に繰り出すことによって行っている。第５レンズ群Ｌ５に関する実線の曲線５ａと点線の曲線５ｂは各々無限遠物体と近距離物体にフォーカスしているときの広角端から望遠端へのズーミングに伴う際の像面変動を補正するための移動軌跡を示している。
【００２１】
実施例１〜４では正の屈折力の第３レンズ群Ｌ３を光軸に対して垂直方向の成分を持つように移動させて、光学系（ズームレンズ）全体が振動（傾動）したときの撮影画像のぶれを補正している。即ち全系が形成する像を光軸に対して垂直方向に変位させている。図９、図１１の実施例５、６では、広角端から望遠端へのズーミングに際して矢印のように第１レンズ群Ｌ１は像側へ凸状の軌跡を描いて移動している。第２レンズ群Ｌ２は像側へ、凸状で非直線的に移動している。第３レンズ群Ｌ３は物体側へ移動している。第４レンズ群Ｌ４は物体側へ凸状の軌跡を描いて移動している。即ち、ズーミングに際して隣り合うレンズ群の間隔が変化するように各レンズ群が移動する。開口絞りＳＰは他のレンズ群と独立に移動している。フレアーカット絞りＦＰは第３レンズ群Ｌ３と一体的に移動している。また、第４レンズ群Ｌ４を光軸上移動させてフォーカシングを行うリヤーフォーカス式を採用している。望遠端において無限遠物体から近距離物体へフォーカスを行う場合にはレンズ断面図の矢印４ｃに示すように第４レンズ群Ｌ４を前方に繰り出すことによって行っている。第４レンズ群Ｌ４に関する実線の曲線４ａと点線の曲線４ｂは各々無限遠物体と近距離物体にフォーカスしているときの広角端から望遠端へのズーミングに伴う際の像面変動を補正するための移動軌跡を示している。さらに、実施例５、６では正の屈折力の第３レンズ群Ｌ３を光軸に対して垂直方向の成分を持つように移動させることにより、結像位置を光軸に対して垂直方向に変化させている。即ち、光学系（ズームレンズ）全体が振動（傾動）したときの撮影画像のぶれを補正している。
【００２２】
各実施例では、ズーミングに際し、撮像面に対し、広角端に比べて望遠端において第１レンズ群Ｌ１と第３レンズ群Ｌ３がいずれも物体側に位置するように移動させている。これにより広角端におけるレンズ全長を短くし、前玉有効径の小型化を図りつつ、高いズーム比（変倍比）が得られるようにしている。特に、各実施例では、広角端から望遠端へのズーミングに際して第３レンズ群Ｌ３を物体側に移動させることにより、第３レンズ群Ｌ３に変倍分担を持たせている。更に正の屈折力の第１レンズ群Ｌ１を物体側へ移動することで第２レンズ群Ｌ２に大きな変倍効果を持たせて第１レンズ群Ｌ１、第２レンズ群Ｌ２の屈折力をあまり大きくすることなく１０倍〜２０倍程度の高ズーム比を得ている。また、実施例５、６では第４レンズ群Ｌ４、実施例１〜４では第５レンズ群Ｌ５を光軸上移動させてフォーカシングを行うリヤーフォーカス式を採用している。尚、実施例１〜４において負の屈折力の第４レンズ群でフォーカスしても良い。このとき望遠端において無限遠物体から近距離物体へフォーカスを行う場合、負の屈折力の第４レンズ群を後方（像側）に繰り込むことによって行う。
【００２３】
さらに、各実施例では正の屈折力の第３レンズ群Ｌ３を光軸に対し垂直方向の成分を持つように移動させて、全系が形成する像を光軸に対し垂直方向に像を変位させている。これにより光学系（ズームレンズ）全体が振動（傾動）したときの撮影画像のぶれの補正（防振）を可変頂角プリズム等の光学部材や防振のためのレンズ群を新たに付加することなく行うようにし、光学系全体が大型化するのを防止している。このときの第３レンズ群Ｌ３の光軸と垂直方向への移動方式は、例えば鏡筒構造の複雑化を許容すれば、光軸上に回転中心を持つように第３レンズ群Ｌ３を回動させて防振を行っても良い。また撮影画像のぶれを第３レンズ群の一部を光軸に対し垂直方向の成分を持つように移動させて行っても良い。なお、各実施例において開口絞りＳＰはズーミングに際して各レンズ群とは独立に移動している。これにより、広角端およびその近傍のズーム位置における中間像高からの画面周辺での光量の急峻な落ちを改善するとともに前玉径の小型化を図っている。
【００２４】
第１レンズ群Ｌ１の有効レンズ径（前玉有効径）を小型にし、また沈胴時にカメラを薄型にするためには、第１レンズ群Ｌ１を構成するレンズの数が少ない方が好ましい。そこで第１レンズ群Ｌ１を物体側から像側へ順に、負レンズ、正レンズの２枚のレンズより構成している。具体的には独立した負レンズと正レンズより、または負レンズと正レンズを接合した接合レンズより第１レンズ群Ｌ１を構成している。これにより高ズーム比を図る際に発生する球面収差と色収差を良好に補正している。第３レンズ群Ｌ３は負レンズ１枚と正レンズ２枚を含むように構成している。実施例１〜４、６においては、物体側から像側へ順に、正、負、正レンズにより第３レンズ群Ｌ３を構成している。また実施例５においては物体側から像側へ順に正、正、負、正レンズより第３レンズ群Ｌ３を構成している。
【００２５】
これにより防振時及びズーミングの際に発生するコマ収差を良好に補正している。第３レンズ群Ｌ３は１以上の非球面を有している。これによってズーミングに伴う球面収差の変動を良好に補正している。
【００２６】
実施例１〜４、６においては第４レンズ群Ｌ４を１枚の負レンズで構成している。これにより、沈胴した際の薄型化を図っている。
【００２７】
各実施例において、第１、第２レンズ群Ｌ１、Ｌ２の焦点距離を各々ｆ１、ｆ２とする。広角端と望遠端における全系の焦点距離を各々ｆｗ、ｆｔとする。このとき、
１０．５＜ｆ１／ｆｗ＜３０．０        ・・・（１）
０．０１０＜|ｆ２／ｆｔ|＜０．１８１  ・・・（２）
なる条件式を満足している。
【００２８】
条件式（１）は全系を小型にしつつ広画角かつ高ズーム比化するために、変倍に寄与する第１レンズ群Ｌ１の焦点距離ｆ１と広角端における全系の焦点距離ｆｗとの比を適切に定めたものである。
【００２９】
一般に、広画角かつ高ズーム比化するためには変倍に寄与するレンズ群の屈折力を大きくし、各レンズ群を移動させズーミングすれば良い。しかしながら、屈折力を大きくしすぎると収差補正が困難になり良好な光学性能が得られない。また、収差を良好に補正するため構成レンズ枚数を増やすと、コンパクト化が困難になる。さらに、レンズ群の移動量を大きくしすぎるとやはりレンズ全系およびカメラのコンパクト化が難しくなる。
【００３０】
条件式（１）の下限を超えて第１レンズ群Ｌ１の焦点距離ｆ１が広角端における全系の焦点距離ｆｗに比べて小さくなると、広画角化した際に広角端における倍率色収差の補正が困難になる。また、高ズーム化した際に望遠端においては軸上色収差、倍率色収差が増大してくる。また、第１レンズ群Ｌ１を構成する正レンズのレンズコバの厚みを確保するのが困難になり、製造のために有効径および、レンズ群の厚みを大きくしなければならず、カメラの小型・薄型化が難しくなる。また組み立ての際に第１レンズ群Ｌ１の偏芯敏感度が高くなり、光学性能が劣化してくる。
【００３１】
逆に条件式（１）の上限を超えて第１レンズ群Ｌ１の焦点距離ｆ１が広角端における全系の焦点距離ｆｗに比べて大きくなると高ズーム化した際にズーミング時における第１レンズ群Ｌ１の移動量が大きくなる。この結果、カメラに沈胴する場合、メカの沈胴段数が増えてしまい、鏡筒径が大きくなりカメラが大型化してくる。また、望遠端において球面収差が大きくなる。さらに、第１レンズ群Ｌ１のズーミングの際の移動量が増大し、ズーミング時の像ゆれや、振動音が増大してくるので良くない。
【００３２】
条件式（２）は全系を小型にしつつ高ズーム比化するために、変倍に寄与する第２レンズ群Ｌ２の焦点距離ｆ２の範囲を適切に定めたものである。
【００３３】
条件式（２）の下限を超えて第２レンズ群Ｌ２の焦点距離の絶対値｜ｆ２｜が望遠端における全系の焦点距離ｆｔに比べて小さくなると、変倍に寄与する第２レンズ群Ｌ２の負の屈折力（光学的パワー＝焦点距離の逆数）が強くなる。この結果、広角端からズーム中間域においてコマ収差および像面変動を補正するのが困難になる。また、第２レンズ群Ｌ２が偏芯したときの光学性能の劣化に対する敏感度が高くなり、組み立てが困難になってくる。
【００３４】
逆に条件式（２）の上限を超えて第２レンズ群Ｌ２の焦点距離の絶対値｜ｆ２｜が望遠端における全系の焦点距離ｆｔに比べて大きくなると、変倍に寄与する第２レンズ群Ｌ２の負の屈折力（光学的パワー＝焦点距離の逆数）が弱まる。このため、高ズーム比化するために第２レンズ群Ｌ２の移動量を大きくしなければならず、全長（レンズ全長）（ここでレンズ全長とは後述するように最も物体側の面（レンズ面）から最終面（最終レンズ面）まで距離にバックフォーカスを加えたものである。）が長くなり全系のコンパクト化が難しくなる。また、広角端における全長が長くなるため、画面周辺光量を確保するために前玉有効径も大きくなるので、好ましくない。また、ズーム中間域において非点収差の補正が困難になる。
【００３５】
以上のように条件式（１）、（２）を満足するように第１、第２レンズ群Ｌ１、L2の焦点距離ｆ１、ｆ２を適切に設定している。これにより、ズーム全域で高い光学性能を維持した広画角かつ高ズーム比で前玉有効径が小さく、沈胴時にカメラが薄くなり、製造時も組み立てやすいコンパクトなズームレンズを達成している。
【００３６】
尚、更に好ましくは条件式（１）、（２）の数値範囲を次の如く設定するのが良い。
【００３７】
１１．０＜ｆ１／ｆｗ＜３０．０    ・・・（１ａ）
０．０１＜｜ｆ２／ｆｔ｜＜０．１５・・・（２ａ）
更に好ましくは条件式（１ａ）、（２ａ）の数値範囲を次の如く設定するのが良い。
【００３８】
１１．５＜ｆ１／ｆｗ＜３０．０    ・・・（１ｂ）
０．０３＜｜ｆ２／ｆｔ｜＜０．１３・・・（２ｂ）
以上の如く構成することにより、広画角かつ高ズーム比でズーム全域にわたり高い光学性能を有したコンパクトなズームレンズを得ることができる。
【００３９】
本発明において、更に好ましくは次の諸条件のうち１以上を満足するのが良い。広角端における全長をＴｄｗとする。第３、第４レンズ群Ｌ３、Ｌ４の焦点距離を各々ｆ３、ｆ４とする。広角端および望遠端における第２レンズ群Ｌ２の横倍率をそれぞれβ２ｗ、β２ｔとする。第１レンズ群Ｌ１の光軸方向の厚みをＤ１Ｇとする。第１レンズ群Ｌ１を構成する正レンズの焦点距離をｆ１ｐとする。広角端において開口絞りＳＰと第３レンズ群Ｌ３との距離をｄｓｗとする。このとき
０．２０＜｜ｆ２／ｆ３｜＜０．８５    ・・・（３）
１．７＜ｆ３／ｆｗ＜１０．０          ・・・（４）
０．１＜Ｔｄｗ／ｆｔ＜２．０          ・・・（５）
０．１＜β２ｗ／β２ｔ＜０．４        ・・・（６）
０．０１＜Ｄ１Ｇ／ｆｔ＜０．１５      ・・・（７）
０．０１＜｜ｆ２／ｆ４｜＜０．６      ・・・（８）
０．１＜ｆ１ｐ／ｆ１＜１．０          ・・・（９）
０．５＜ｄｓｗ／ｆｗ＜１０．０      ・・・（１０）
なる条件式のうち１以上を満足するのが良い。
【００４０】
条件式（３）は全系を小型にしつつ高ズーム比化するために、主に変倍に寄与する第２レンズ群Ｌ２の焦点距離ｆ２および第３レンズ群Ｌ３の焦点距離ｆ３の範囲を適切に定めたものである。条件式（３）の下限を超えて第２レンズ群Ｌ２の焦点距離の絶対値｜ｆ２｜が第３レンズ群Ｌ３の焦点距離ｆ３に比べて小さくなると、変倍に寄与する第２レンズ群Ｌ２の負の屈折力が強くなりすぎる。この結果、広角端からズーム中間域においてコマ収差および像面変動を補正するのが困難になる。また、第２レンズ群Ｌ２が偏芯したときの光学性能の劣化に対する敏感度が高くなり、組み立てが困難になってくる。
【００４１】
条件式（３）の上限を超えて第２レンズ群Ｌ２の焦点距離の絶対値｜ｆ２｜が第３レンズ群Ｌ３の焦点距離ｆ３に比べて大きくなると、高ズーム比化するためには、主に変倍に寄与する第２レンズ群の移動量を大きくしなければならない。この結果、広角端における全長が大きくなり、さらに、画面周辺光量を確保するために、第１、第２レンズ群Ｌ２，Ｌ３の有効径も増大し、全系の小型化が難しくなる。また、第３レンズ群Ｌ３の焦点距離が小さくなると、主に望遠端における球面収差が悪化する。さらに、第３レンズ群Ｌ３の敏感度が高くなるため、第３レンズ群Ｌ３で防振をしようとすると防振制御が困難になる。
【００４２】
条件式（４）は全系を小型にしつつ広画角・高ズーム比化するために、第３レンズ群Ｌ３の焦点距離ｆ３の範囲を適切に定めたものである。条件式（４）の下限を超えて第３レンズ群Ｌ３の焦点距離ｆ３が広角端の焦点距離ｆｗに比べて小さくなると、主に望遠端における球面収差が悪化する。また、第３レンズ群Ｌ３の敏感度が高くなるため、第３レンズ群Ｌ３で防振をしようとすると防振制御が困難になる。さらに、第３レンズ群の平行・傾きによる偏芯敏感度が高くなり、製造時に組み立てばらつきがあると光学性能が劣化してくる。
【００４３】
条件式（４）の上限を超えて第３レンズ群Ｌ３の焦点距離ｆ３が広角端の焦点距離ｆｗに比べて大きくなると、主に望遠端における軸上色収差の補正が困難になる。また高ズーム比化するために広角端から望遠端へズーミングする際の第３レンズ群Ｌ３の移動量が大きくなるため、レンズ全長が大きくなり、コンパクト化が困難になる。
【００４４】
条件式（５）は全系を小型にしつつ高ズーム比化するために、広角端における全長Ｔｄｗの範囲を適切に定めたものである。条件式（５）の下限を超えて広角端における全長Ｔｄｗが短くなると主に広角端における像面湾曲や歪曲の補正が困難になる。また、高ズーム比化すると望遠端における全長が長くなるため、コンパクト化が困難になる。また望遠端付近の画面周辺光量の急峻な落ちを低減するために前玉有効径が大きくなり、レンズコバ厚を確保するために第１レンズ群Ｌ１の正レンズの厚みを大きくしなければならず、全系の小型化及びカメラに用いたときカメラの薄型化が困難になる。
【００４５】
条件式（５）の上限を超えて広角端における全長Ｔｄｗが長くなると広角端付近の画面周辺光量落ちを抑えるために前玉有効径を大きくしなければならず、全系の小型化及びカメラに用いたときカメラの薄型化が困難になる。
【００４６】
条件式（６）は全系が小型でかつ高いズーム比を得るために広角端および望遠端における第２レンズ群Ｌ２の横倍率β２ｗ、β２ｔを適切に定めたものである。条件式（６）の下限値を超えて広角端において第２レンズ群Ｌ２の横倍率β２ｗが望遠端における横倍率β２ｔに比べて小さくなりすぎるとズーミングに際して第２レンズ群の移動量が大きくなる。このため、全長が増大し、大型化してくるので良くない。条件式（６）の上限値を超えて広角端において第２レンズ群Ｌ２の横倍率β２ｗが望遠端における横倍率β２ｔに比べて大きくなりすぎるとズーム全域に渡ってコマ収差および像面変動の補正が困難になる。また、前玉有効径が増大してくるため、全系のコンパクト化が困難になる。
【００４７】
条件式（７）は高ズーム比化しつつ、沈胴時にカメラを薄くするための条件式である。条件式（７）の下限を超えて第１レンズ群Ｌ１の光軸方向の厚みＤ１Ｇが望遠端における全系の焦点距離ｆｔに比べて小さくなると、望遠端における全長が大きくなる。また、主に望遠端における球面収差の補正が困難になる。条件式（７）の上限を超えて第１レンズ群Ｌ１の光軸方向の厚みＤ１Ｇが望遠端における全系の焦点距離ｆｔに比べて大きくなると、沈胴時におけるレンズの厚みが大きくなり、カメラの薄型化が困難になる。また、望遠端における軸上色収差の補正が困難になる。さらに、第１レンズ群Ｌ１の平行・傾きによる偏芯敏感度が大きくなるため、製造が困難になる。
【００４８】
条件式（８）は第２、第４レンズ群Ｌ２、Ｌ４の焦点距離ｆ２、ｆ４を適切にし、広画角・高ズーム比化した際に第１レンズ群Ｌ１および第２レンズ群Ｌ２を小型化しつつ良好な光学性能を得るための条件式である。条件式（８）の下限を超えて第２レンズ群Ｌ２の焦点距離ｆ２の絶対値が第４レンズ群Ｌ４の焦点距離ｆ４に比べて小さくなると、ズーミングの際の第２レンズ群Ｌ２による変倍分担が大きくなり、ズーム全域におけるコマ収差の補正が困難になる。また、第２レンズ群Ｌ２の平行・傾きによる偏芯敏感度が高くなり、組み立てが困難になる。また、ズーミングの際の像揺れを軽減するのが困難になる。
【００４９】
条件式（８）の上限を超えて第２レンズ群Ｌ２の焦点距離ｆ２の絶対値が第４レンズ群Ｌ４の焦点距離ｆ４に比べて大きくなると、主変倍レンズ群である第２レンズ群Ｌ２のズーミングの際の移動量が大きくなる。この結果、広角端における全長が伸び、第１レンズ群Ｌ１，第２レンズ群Ｌ２を構成するレンズの有効径が大きくなり、小型・薄型化が困難になる。さらに第４レンズ群Ｌ４の焦点距離ｆ４が大きくなりすぎると、光線の発散作用が大きくなり、主に画面周辺の光線が撮像面に入射する角度が急峻になり、色シェーディングが多く発生してくるので良くない。
【００５０】
条件式（９）第１レンズ群Ｌ１に含まれる正レンズの焦点距離ｆ１ｐおよび第１レンズ群Ｌ１の焦点距離ｆ１を適切にし、第１レンズ群Ｌ１の厚みを削減し、沈胴時のカメラの厚みを薄くしつつ、ズーム全域で良好な光学性能を得るための条件式である。条件式（９）の下限を超えて第１レンズ群Ｌ１に含まれる正レンズの焦点距離ｆ１ｐが第１レンズ群Ｌ１の焦点距離ｆ１に比べて小さくなると、正レンズのレンズコバを確保するために肉厚が厚くなり、第１レンズ群の厚みが増すため、カメラの薄型化が困難になる。また主に望遠端における色収差の補正が困難になる。さらに、組み立て時の傾き・平行偏芯敏感度が高くなるため、良くない。
【００５１】
条件式（９）の上限を超えて第１レンズ群Ｌ１に含まれる正レンズの焦点距離ｆ１ｐが第１レンズ群Ｌ１の焦点距離ｆ１に比べて大きくなると、広角端から望遠端へズーミングする際の第１レンズ群Ｌ１の移動量が大きくなる。この結果、レンズ群を沈胴した際に、カメラ厚が厚くなるため、良くない。また、主に望遠端における球面収差の補正が困難になる。
【００５２】
条件式（１０）は広角端における開口絞りＳＰと第３レンズ群Ｌ３との間隔ｄｓｗおよび、広角端における焦点距離ｆｗとの比を適切にし、前玉有効径の小型化および、広角端付近の画面周辺光量の急峻な落ちを防ぐためのものである。更に、ズーム全域で良好な光学性能を得るための条件式である。
【００５３】
条件式（１０）の下限を超えて広角端における開口絞りＳＰと第３レンズ群Ｌ３との間隔ｄｓｗが広角端における焦点距離ｆｗに比べて小さくなると、主に広角端付近で開口絞りＳＰにより、画面周辺の光線が急峻にケラレる。この結果、画像が中間像高から急激に暗くなるため良くない。また、これを改善するために広角端付近で画面周辺の光量を入れようとすると前玉有効径が増大し、さらに広角端においてコマフレアが生じ、画質が劣化するので良くない。
【００５４】
条件式（１０）の下限を超えて広角端における開口絞りＳＰと第３レンズ群Ｌ３との間隔ｄｓｗが広角端における焦点距離ｆｗに比べて大きくなると、画面周辺光量の絶対量が不足してくる上、主に広角端付近の諸収差の補正が困難になる。
【００５５】
尚、更に収差補正及びズーミングの際の収差変動を小さくしつつレンズ系全体の小型化を図るには、条件式（３）〜（１０）の数値範囲を次の如く設定するのが好ましい。
【００５６】
０．３０＜｜ｆ２／ｆ３｜＜０．７５      ・・・（３ａ）
２．０＜ｆ３／ｆｗ＜８．０              ・・・（４ａ）
０．２＜Ｔｄｗ／ｆｔ＜１．７            ・・・（５ａ）
０．１０＜β２ｗ／β２ｔ＜０．３８      ・・・（６ａ）
０．０１＜Ｄ１Ｇ／ｆｔ＜０．１２        ・・・（７ａ）
０．０５＜｜ｆ２／ｆ４｜＜０．６０      ・・・（８ａ）
０．２＜ｆ１ｐ／ｆ１＜０．８            ・・・（９ａ）
０．５＜ｄｓｗ／ｆｗ＜７．０          ・・・（１０ａ）
各実施例によれば以上の如く構成することにより、光学系全体が小型で、沈胴した際にカメラが薄型化し、広画角かつズーム比１０倍以上の高ズーム比で、しかも全ズーム範囲にわたり高い光学性能を有したズームレンズが得られる。
【００５７】
次に、本発明の実施例１〜６に各々対応する数値実施例１〜６を示す。各数値実施例においてｉは物体側からの光学面の順序を示す。ｒｉは第ｉ番目の光学面（第ｉ面）の曲率半径、ｄｉは第ｉ面と第ｉ＋１面との間の間隔、ｎｄｉとνｄｉはそれぞれｄ線に対する第ｉ番目の光学部材の材料の屈折率、アッベ数を示す。
【００５８】
またｋを離心率Ａ４、Ａ６、Ａ８、Ａ１０を非球面係数、光軸からの高さｈの位置での光軸方向の変位を面頂点を基準にしてｘとするとき、非球面形状は、
ｘ＝（ｈ２／Ｒ）／［１＋［１−（１＋ｋ）（ｈ／Ｒ）２］１／２］＋Ａ４ｈ４＋Ａ６
ｈ６＋Ａ８ｈ８＋Ａ１０ｈ１０
で表示される。但しＲは近軸曲率半径である。また例えば「Ｅ−Ｚ」の表示は「１０−Ｚ」を意味する。数値実施例において最後の２つの面は、フィルター、フェースプレート等の光学ブロックの面である。各実施例において、バックフォーカス（ＢＦ）はレンズ最終面から近軸像面までの距離を空気換算長により表したものである。レンズ全長は最も物体側の面（レンズ面）から最終面（最終レンズ面）までの距離にバックフォーカスを加えたものである。また、各数値実施例における上述した条件式との対応を表１に示す。
【００５９】
各数値実施例ではＳＰと像側のガラスブロックＧを１つの群として数えている。このため、各数値実施例では全体として、実際のレンズ群よりも２群多くなっている。
【００６０】
［数値実施例１］
単位 mm
面データ
面番号       r        d      nd         νd
1         38.800    1.00   1.80610    33.3           
2         22.764    0.20                             
3*        19.726    4.00   1.59282    68.6           
4*      -176.534  (可変)                             
5         79.907    0.70   1.88300    40.8           
6          6.933    3.40                             
7        -25.187    0.70   1.83481    42.7           
8         37.268    0.20                             
9         15.164    1.80   1.94595    18.0           
10         97.721  (可変)                             
11(絞り)    ∞     (可変)                             
12*         9.290    3.00   1.58313    59.4           
13*       -66.004    1.80                             
14         27.259    0.70   1.84666    23.9           
15          9.430    0.80                             
16         18.844    2.00   1.48749    70.2           
17        -14.450    0.30                             
18(フレアーカット絞り)∞   (可変)                             
19        175.842    1.00   1.48749    70.2           
20         13.567  (可変)                             
21         14.017    2.00   1.48749    70.2           
22       4258.686  (可変)                             
23          ∞       1.00   1.51633    64.1           
24          ∞       0.6 
像面        ∞   
非球面データ
第3面
K =-1.39314e-001  A 4=-2.16938e-006  A 6= 1.16365e-008  A 8= 6.06296e-011  
第4面
K =-1.76207e+001  A 4= 4.07411e-007  A 6= 2.50396e-008  A 8= 3.19540e-013  
第12面
K =-1.81829e+000  A 4= 1.69626e-004  A 6=-1.47480e-006  A 8= 3.16354e-008  
第13面
K =-1.85610e+002  A 4= 4.21676e-005  
各種データ
ズーム比     10.12 
焦点距離       5.05    12.80    51.09     6.60    21.78  
Fナンバー      2.87     4.10     5.58     3.32     3.90  
画角          34.63    16.85     4.34    30.40    10.09  
像高           3.49     3.88     3.88     3.88     3.88  
レンズ全長    69.65    68.82    89.47 
66.55    80.54  
BF             8.50    16.77    13.10    10.31    18.94  
d 4            0.70     9.76    27.98     2.55    19.20  
d10           23.10    11.85     2.96    20.19     3.91  
d11            7.67     1.50     1.52     3.75     6.08  
d18            3.40     1.96    11.50     3.26     1.73  
d20            2.68     3.38     8.81     2.89     7.09  
d22            7.24    15.51    11.84     9.05    17.68  

ズームレンズ群データ
群  始面    焦点距離  
1    1      53.30  
2    5      -8.57  
3   11       ∞    
4   12      14.55  
5   19     -30.22  
6   21      28.84  
7   23       ∞    
【００６１】
［数値実施例２］
単位 mm
面データ
面番号       r        d      nd         νd
1         69.679    1.30   1.80610    33.3           
2         40.231    0.20                             
3*        28.101    5.00   1.49700    81.5           
4*       -86.856  (可変)                             
5        189.770    1.00   1.88300    40.8           
6          8.053    3.60                             
7        -27.748    0.70   1.83481    42.7           
8         55.972    0.20                             
9         17.318    2.00   1.94595    18.0           
10        111.345  (可変)                             
11(絞り)    ∞     (可変)                             
12*         9.189    3.00   1.58313    59.4           
13*      -194.351    1.93                             
14         21.684    0.70   1.84666    23.9           
15          9.089    0.80                             
16         25.828    2.00   1.48749    70.2           
17        -15.243    0.30                             
18(フレアーカット絞り)∞   (可変)                             
19        -47.772    1.00   1.48749    70.2           
20         24.121  (可変)                             
21         18.098    2.00   1.48749    70.2           
22       -132.406  (可変)                             
23          ∞       1.00   1.51633    64.1           
24          ∞       1.0 
像面        ∞   
非球面データ
第3面
K =-2.66095e-001  A 4=-9.22048e-007  A 6=-1.26585e-009  A 8= 2.12170e-012  
第4面
K =-1.52648e+000  A 4= 2.13694e-006  A 6=-9.50786e-010  A 8= 2.70734e-012  
第12面
K =-1.65289e+000  A 4= 1.67980e-004  A 6=-7.48837e-008  A 8= 1.02683e-008  
第13面
K =-1.21619e+002  A 4= 9.51630e-005  
各種データ
ズーム比     19.41 
焦点距離       5.15    12.83    99.99     6.63    25.40  
Fナンバー      2.77     4.02     6.00     3.19     3.94  
画角          34.10    16.81     2.22    30.31     8.67  
像高           3.49     3.88     3.88     3.88     3.88  
レンズ全長    81.30    79.47   113.01    77.23    95.47  
BF             9.22    16.32    11.71    10.05    21.63  
d 4            0.70    10.80    44.79     2.10    25.99  
d10           28.44    15.02     2.06    24.63     5.67  
d11           10.47     2.86     1.74     6.53     6.21  
d18            3.94     3.29     9.90     4.20     2.21  
d20            2.81     5.45    17.09     3.99     8.03  
d22            7.56    14.66    10.05     8.39    19.97  

ズームレンズ群データ
群  始面    焦点距離  
1    1      67.69  
2    5      -9.93  
3   11       ∞    
4   12      16.07  
5   19     -32.73  
6   21      32.80  
7   23       ∞    
【００６２】
［数値実施例３］
単位 mm
面データ
面番号       r        d      nd         νd
1         72.921    1.30   1.80610    33.3           
2         39.106    0.20                             
3*        25.670    6.00   1.49700    81.5           
4*       -69.067  (可変)                             
5        -96.059    0.70   1.88300    40.8           
6          6.833    2.50                             
7        -23.071    0.70   1.83481    42.7           
8         36.283    0.20                             
9         14.509    1.80   1.94595    18.0           
10        371.396  (可変)                             
11(絞り)    ∞     (可変)                             
12*         8.091    3.00   1.58313    59.4           
13*      -132.445    1.19                             
14         34.308    0.70   1.84666    23.9           
15          9.504    0.80                             
16         19.539    2.00   1.48749    70.2           
17         -9.189    0.30                             
18(フレアーカット絞り)∞   (可変)                             
19        -97.300    1.00   1.48749    70.2           
20         14.978  (可変)                             
21         14.077    2.00   1.48749    70.2           
22         75.245  (可変)                             
23          ∞       1.00   1.51633    64.1           
24          ∞       1.0 
像面        ∞   
非球面データ
第3面
K =-1.06758e-001  A 4=-1.96907e-006  A 6=-1.12657e-008  A 8=-7.28147e-013  
第4面
K =-1.16870e+001  A 4= 4.43924e-007  A 6=-8.55587e-009  A 8= 1.35361e-011  
第12面
K =-1.36003e+000  A 4= 2.89727e-004  A 6=-1.03215e-006  A 8= 5.59531e-008  
第13面
K =-1.28658e+003  A 4= 4.22778e-004  
各種データ
ズーム比     19.38 
焦点距離       5.16    14.11    99.98     6.99    24.38    55.31  
Fナンバー      2.77     4.07     6.00     3.19     4.56     4.94  
画角          34.06    15.35     2.22    29.02     9.03     4.01  
像高           3.49     3.88     3.88     3.88     3.88     3.88  
レンズ全長    59.81    62.45   106.42    56.67    83.12   101.51  
BF             7.58    13.98     7.50     7.19    19.55    17.97  
d 4            0.70     7.19    40.80     0.94    21.44    36.14  
d10           18.09     4.73     1.39    14.34     1.49     1.54  
d11            3.62     2.98     1.42     1.45     5.01     2.81  
d18            3.92     5.61     3.28     5.39     1.93     1.74  
d20            1.51     3.58    27.63     2.97     9.31    16.92  
d22            5.92    12.32     5.84     5.53    17.89    16.31  

ズームレンズ群データ
群  始面    焦点距離  
1    1      59.82  
2    5      -7.76  
3   11       ∞    
4   12      12.26  
5   19     -26.55  
6   21      35.15  
7   23       ∞    
【００６３】
［数値実施例４］
単位 mm
面データ
面番号       r        d      nd         νd
1         54.857    1.30   1.80610    33.3           
2         37.830    4.50   1.49700    81.5           
3*      -141.341  (可変)                             
4         58.929    0.80   1.88300    40.8           
5          9.135    4.70                             
6        -38.148    0.70   1.83481    42.7           
7         48.830    0.20                             
8         19.201    2.00   1.94595    18.0           
9         85.832  (可変)                             
10(絞り)    ∞     (可変)                             
11*         9.165    4.00   1.58313    59.4           
12*      -399.369    1.08                             
13         21.313    0.70   1.84666    23.9           
14          9.387    1.50                             
15         62.005    2.50   1.48749    70.2           
16        -13.852    0.30                             
17(フレアーカット絞り)∞   (可変)                             
18        -51.666    1.00   1.48749    70.2           
19         21.049  (可変)                             
20         15.276    2.00   1.48749    70.2           
21        679.825  (可変)                             
22          ∞       1.00   1.51633    64.1           
23          ∞       1.0 
像面        ∞   
非球面データ
第3面
K =-9.59704e+000  A 4= 1.35033e-007  A 6=-8.96886e-010  A 8= 3.50282e-012  
第11面
K =-1.72566e+000  A 4= 1.81602e-004  A 6=-1.20965e-007  A 8= 6.95581e-009  
第12面
K = 2.41331e+003  A 4= 1.16660e-004  
各種データ
ズーム比     20.79 
焦点距離       4.81    10.55    99.99     5.97    21.57  
Fナンバー      2.07     2.98     6.00     2.37     3.40  
画角          35.95    20.17     2.22    32.98    10.19  
像高           3.49     3.88     3.88     3.88     3.88  
レンズ全長    94.36    90.68   134.70    89.16   109.94  
BF             8.60    13.53     7.34     9.29    15.06  
d 3            0.70     9.02    60.25     0.65    29.84  
d 9           34.03    19.23     1.49    30.05     7.68  
d10           17.38     8.75     2.12    13.34    10.16  
d17            5.52     2.68    18.94     4.59     4.50  
d19            0.87    10.19    17.27     3.96    15.43  
d21            6.94    11.87     5.68     7.63    13.40  

ズームレンズ群データ
群  始面    焦点距離  
1    1      99.81  
2    4     -12.37  
3   10       ∞    
4   11      17.57  
5   18     -30.54  
6   20      32.02  
7   22       ∞    
【００６４】
［数値実施例５]
単位 mm
面データ
面番号       r        d      nd         νd
1         28.734    1.10   1.84666    23.9           
2         18.301    3.00   1.77250    49.6           
3        160.447  (可変)                             
4         52.843    0.70   1.88300    40.8           
5          5.838    3.30                             
6        -16.280    0.65   2.00069    25.5           
7         38.437    0.18                             
8         16.909    1.80   1.94595    18.0           
9        -32.759  (可変)                             
10(絞り)    ∞     (可変)                             
11*         5.887    2.30   1.55332    71.7           
12*       -39.587    0.20                             
13          7.492    2.20   1.56732    42.8           
14         -7.137    0.50   1.80610    33.3           
15          5.431    0.90                             
16*       446.959    1.00   1.55332    71.7           
17        -18.387    0.50                             
18(フレアーカット絞り)∞   (可変)                             
19         10.343    2.00   1.48749    70.2           
20         47.074    0.80   1.84666    23.9           
21         36.906  (可変)                             
22          ∞       1.00   1.51633    64.1           
23          ∞       1.0 
像面        ∞   
非球面データ
第11面
K =-3.16073e-001  A 4= 1.20791e-004  A 6=-2.20466e-006  A 8= 5.06689e-007  
第12面
K =-1.21760e+002  A 4=-3.66130e-005  
第16面
K =-4.45328e+004  A 4=-6.03093e-004  A 6=-1.29512e-005  A 8=-8.09819e-006  
各種データ
ズーム比     10.14 
焦点距離       4.40     8.52    44.65     6.00    17.20  
Fナンバー      2.48     3.01     5.97     2.74     3.93  
画角          37.76    24.46     4.96    32.09    12.70  
像高           3.41     3.88     3.88     3.76     3.88  
レンズ全長    49.50    47.42    73.52    46.60    55.74  
BF             6.20     9.15     3.22     7.39    11.09  
d 3            0.40     5.82    24.07     1.89    12.71  
d 9           14.90     5.19     1.94     8.91     2.18  
d10            5.91     5.33     1.40     6.02     3.04  
d18            0.96     0.81    21.75     1.25     5.58  
d21            4.54     7.49     1.56     5.73     9.43  

ズームレンズ群データ
群  始面    焦点距離  
1    1      47.70  
2    4      -8.03  
3   10       ∞    
4   11      12.39  
5   19      30.00  
6   22       ∞    
【００６５】
［数値実施例６］
単位 mm
面データ
面番号       r        d      nd         νd
1         69.574    1.10   1.80610    33.3           
2         40.349    0.20                             
3*        26.709    5.50   1.49700    81.5           
4*       -84.904  (可変)                             
5        108.417    1.00   1.88300    40.8           
6          8.202    4.00                             
7        -36.778    0.70   1.88300    40.8           
8         39.577    0.20                             
9         16.659    2.00   1.94595    18.0           
10         88.160  (可変)                             
11(絞り)    ∞     (可変)                             
12*         9.278    3.00   1.58313    59.4           
13*      -287.912    1.70                             
14         20.285    0.70   1.84666    23.9           
15          9.101    1.00                             
16      -1903.336    2.00   1.48749    70.2           
17        -19.642    0.30                             
18(フレアーカット絞り)∞   (可変)                             
19         20.560    2.00   1.48749    70.2           
20        154.160  (可変)                             
21          ∞       1.00   1.51633    64.1           
22          ∞       1.0 
像面        ∞   
非球面データ
第3面
K =-3.01923e-001  A 4=-1.71502e-006  A 6= 4.11023e-009  A 8= 1.59127e-011  
第4面
K =-1.02007e+001  A 4= 8.42450e-009  A 6= 9.20998e-009  A 8= 3.98408e-013  
第12面
K =-1.34167e+000  A 4= 9.53786e-005  A 6=-2.44674e-008  A 8= 4.22721e-009  
第13面
K = 1.03631e+003  A 4= 3.34184e-005  
各種データ
ズーム比     20.20 
焦点距離       4.95    13.48   100.00     6.42    28.61  
Fナンバー      2.87     4.51     5.73     3.32     4.60  
画角          34.56    16.04     2.22    31.10     7.71  
像高           3.41     3.88     3.88     3.88     3.88  
レンズ全長    89.83    82.36   117.85    83.83    97.78  
BF            13.98    20.80    18.09    14.83    25.86  
d 4            0.70     8.84    41.68     1.52    23.19  
d10           33.51    17.15     2.17    28.64     6.40  
d11           12.02     1.69     2.69     7.30     5.19  
d18            4.22     8.49    27.83     6.14    11.75  
d20           12.33    19.14    16.43    13.18    24.20  

ズームレンズ群データ
群  始面    焦点距離  
1    1      63.06  
2    5     -10.24  
3   11       ∞    
4   12      22.28  
5   19      48.43  
6   21       ∞    
【００６６】
【表１】
0005618752.tif 000002
次に各実施例に示したようなズームレンズを撮影光学系として用いたデジタルスチルカメラの実施形態を図１３を用いて説明する。
【００６７】
図１３において、２０はカメラ本体、２１は実施例１〜６で説明したいずれかのズームレンズによって構成された撮影光学系である。２２はカメラ本体に内蔵され、撮影光学系２１によって形成された被写体像を受光するＣＣＤセンサやＣＭＯＳセンサ等の固体撮像素子（光電変換素子）である。２３は固体撮像素子２２によって光電変換された被写体像に対応する情報を記録するメモリである。２４は液晶ディスプレイパネル等によって構成され、固体撮像素子２２上に形成された被写体像を観察するためのファインダである。
【００６８】
このように本発明のズームレンズをデジタルスチルカメラ等の撮像装置に適用することにより、小型で高い光学性能を有する撮像装置が実現できる。
【符号の説明】
【００６９】
Ｌ１  第１レンズ群        Ｌ２  第２レンズ群        Ｌ３  第３レンズ群
Ｌ４  第４レンズ群        Ｌ５  第５レンズ群        Ｌｒ  後群
ｄ    ｄ線        ｇ    ｇ線        ΔＭ  メリディオナル像面
ΔＳ  サジタル像面        ＳＰ  絞り        ＦＰ  フレアーカット絞り
Ｇ    ＣＣＤのフォースプレートやローパスフィルター等のガラスブロック
ω    半画角        ｆｎｏ  Ｆナンバー    
【図７】
0005618752.tif 000003
【図１】
0005618752.tif 000004
【図２】
0005618752.tif 000005
【図３】
0005618752.tif 000006
【図４】
0005618752.tif 000007
【図５】
0005618752.tif 000008
【図６】
0005618752.tif 000009
【図８】
0005618752.tif 000010
【図９】
0005618752.tif 000011
【図１０】
0005618752.tif 000012
【図１１】
0005618752.tif 000013
【図１２】
0005618752.tif 000014
【図１３】
0005618752.tif 000015